(57)【要約】【課題】文章の読み易さを効率的に向上し得る情報処理装置および情報処理プログラムを提供する。【解決手段】情報処理プログラム１３０は、階層構造を有する文章から注目箇所を抽出する注目箇所抽出部１３２と、文章から注目箇所を含んでいるセクションを注目セクションとして抽出する注目セクション抽出部１３４と、注目セクション内におけるページ切替えを検出するページ切替え検出部１３６と、文章のページレイアウトを調整するレイアウト調整部１３８と、を有し、レイアウト調整部１３８は、注目セクション内におけるページ切替えが検出された場合、注目セクション内でページ切替えが発生しないように、文章のページレイアウトを調整する。【選択図】図４
2020024516.tif 000002
【特許請求の範囲】
【請求項１】
階層構造を有する文章から注目箇所を抽出する注目箇所抽出部と、
前記文章から前記注目箇所を含んでいるセクションを注目セクションとして抽出する注目セクション抽出部と、
前記注目セクション内におけるページ切替えを検出するページ切替え検出部と、
前記文章のページレイアウトを調整するレイアウト調整部と、を有し、
前記レイアウト調整部は、
前記注目セクション内におけるページ切替えが検出された場合、前記注目セクション内で前記ページ切替えが発生しないように、前記文章のページレイアウトを調整する、情報処理装置。
【請求項２】
前記レイアウト調整部は、
前記注目セクション抽出部で抽出された前記注目セクション内において前記ページ切替えが発生しないように、前記文章のページ切替え位置を移動させる、請求項１に記載の情報処理装置。
【請求項３】
前記レイアウト調整部は、前記注目セクションの開始位置が次ページに属するように、前記文章のページ切替え位置を前記注目セクションの開始位置に移動させる、請求項２に記載の情報処理装置。
【請求項４】
前記注目箇所は、注目語句、文字フォント、図形、写真、あるいは、これらの組合わせに基づいて決定される、請求項１〜３のいずれか１項に記載の情報処理装置。
【請求項５】
前記注目箇所に係る前記文字フォントは、文字の色、下線、太字、斜体、あるいは、これらの組合わせである、請求項４に記載の情報処理装置。
【請求項６】
前記注目セクションは、前記注目箇所を含んでいる文を少なくとも含んでいる、請求項１〜５のいずれか１項に記載の情報処理装置。
【請求項７】
前記注目セクションは、前記文の上位の階層に位置する文、前記文と同じ階層の別の文、あるいは、これらの組合わせを、さらに含んでいる、請求項６に記載の情報処理装置。
【請求項８】
前記レイアウト調整部は、前記注目セクションの開始位置が属するページに、前記注目セクションの終了位置が属するように、前記文章のページレイアウトを調整する、請求項１、４〜７のいずれか１項に記載の情報処理装置。
【請求項９】
前記文章のページレイアウトの調整は、前記注目セクションの文字フォントおよび／又は文字体裁を変更することに基づいている、請求項８に記載の情報処理装置。
【請求項１０】
前記文章のページレイアウトの調整に係る前記文字フォントの変更は、文字サイズ、文字フォントの種類、あるいは、文字サイズおよび文字フォントの両方を変更することである、請求項９に記載の情報処理装置。
【請求項１１】
前記文字体裁の変更は、行間隔、文字間隔、あるいは、行間隔および文字間隔の両方を変更することである、請求項９又は請求項１０に記載の情報処理装置。
【請求項１２】
前記レイアウト調整部は、前記注目セクションの開始位置においてページ切替えを発生させることに基づいて、前記注目セクションの開始位置が次ページに属するように、前記文章のページレイアウトを調整する、請求項１に記載の情報処理装置。
【請求項１３】
前記文章を印刷する印刷装置と通信するための通信部をさらに有し、
前記ページは、前記文章の印刷データを構成するページに対応する論理ページであり、
前記レイアウト調整部は、前記注目セクションにおいてページ切替えの発生が検出された場合、前記印刷装置によって用紙に印刷されるページに対応する物理ページの形態に応じて、前記文章のページレイアウトの調整を省略する、請求項１〜１２のいずれか１項に記載の情報処理装置。
【請求項１４】
前記文章を印刷する印刷部をさらに有し、
前記ページは、前記文章の印刷データを構成するページに対応する論理ページであり、
前記レイアウト調整部は、前記注目セクションにおいてページ切替えの発生が検出された場合、前記印刷部によって用紙に印刷されるページに対応する物理ページの形態に応じて、前記文章のページレイアウトの調整を省略する、請求項１〜１２のいずれか１項に記載の情報処理装置。
【請求項１５】
前記物理ページの形態を規定する印刷設定は、Ｎ枚の論理ページを１枚の物理ページに配置するＮｉｎ１設定であり、
前記レイアウト調整部は、前記注目セクションの開始位置が属する論理ページと、前記注目セクションの終了位置が属する論理ページとが、同一の物理ページに配置される場合、前記文章のページレイアウトの調整を省略する、請求項１３又は請求項１４に記載の情報処理装置。
【請求項１６】
前記物理ページの形態を規定する印刷設定は、中綴じ製本によって小冊子を作成するための小冊子設定であり、
前記物理ページは、２枚の論理ページを配置するための２つの領域を有しており、
前記レイアウト調整部は、前記物理ページに関し、前記注目セクションの開始位置が属する論理ページが配置される領域と、前記注目セクションの終了位置が属する論理ページが配置される領域とが、前記小冊子の見開きページを構成する場合、前記文章のページレイアウトの調整を省略する、請求項１３又は請求項１４に記載の情報処理装置。
【請求項１７】
階層構造を有する文章から注目箇所を抽出する注目箇所抽出手順と、
前記文章から前記注目箇所を含んでいるセクションを注目セクションとして抽出する注目セクション抽出手順と、
前記注目セクション内におけるページ切替えを検出するページ切替え検出手順と、
前記文章のページレイアウトを調整するレイアウト調整手順と、
を有する処理を、情報処理装置に実行させる情報処理プログラムであって、
前記レイアウト調整手順においては、前記ページ切替え検出手順によって前記注目セクション内におけるページ切替えが検出された場合、前記注目セクション内で前記ページ切替えが発生しないように、前記文章のページレイアウが調整される、情報処理プログラム。
【請求項１８】
前記レイアウト調整手順においては、前記注目セクション抽出手順で抽出された前記注目セクション内において前記ページ切替えが発生しないように、前記文章のページ切替え位置が移動させられる、請求項１７に記載の情報処理プログラム。
【請求項１９】
前記レイアウト調整手順においては、前記注目セクションの開始位置が次ページに属するように、前記文章のページ切替え位置が前記注目セクションの開始位置に移動させられる、請求項１８に記載の情報処理プログラム。
【請求項２０】
前記注目箇所は、注目語句、文字フォント、図形、写真、あるいは、これらの組合わせに基づいて決定される、請求項１７〜１９のいずれか１項に記載の情報処理プログラム。
【請求項２１】
前記注目箇所に係る前記文字フォントは、文字の色、下線、太字、斜体、あるいは、これらの組合わせである、請求項２０に記載の情報処理プログラム。
【請求項２２】
前記注目セクションは、前記注目箇所を含んでいる文を少なくとも含んでいる、請求項１７〜２１のいずれか１項に記載の情報処理装置。
【請求項２３】
前記注目セクションは、前記文の上位の階層に位置する文、前記文と同じ階層の別の文、あるいは、これらの組合わせを、さらに含んでいる、請求項２２に記載の情報処理プログラム。
【請求項２４】
前記レイアウト調整手順においては、前記注目セクションの開始位置が属するページに、前記注目セクションの終了位置が属するように、前記文章のページレイアウトが調整される、請求項１７、２０〜２３のいずれか１項に記載の情報処理プログラム。
【請求項２５】
前記文章のページレイアウトの調整は、前記注目セクションの文字フォントおよび／又は文字体裁を変更することに基づいている、請求項２４に記載の情報処理プログラム。
【請求項２６】
前記文章のページレイアウトの調整に係る前記文字フォントの変更は、文字サイズ、文字フォントの種類、あるいは、文字サイズおよび文字フォントの両方を変更することである、請求項２５に記載の情報処理プログラム。
【請求項２７】
前記文字体裁の変更は、行間隔、文字間隔、あるいは、行間隔および文字間隔の両方を変更することである、請求項２５又は請求項２６に記載の情報処理プログラム。
【請求項２８】
前記レイアウト調整手順においては、前記注目セクションの開始位置においてページ切替えを発生させることに基づいて、前記注目セクションの開始位置が次ページに属するように、前記文章のページレイアウトが調整される、請求項１７に記載の情報処理プログラム。
【請求項２９】
前記情報処理装置は、前記文章を印刷する印刷装置と通信するための通信部をさらに有し、
前記ページは、前記文章の印刷データを構成するページに対応する論理ページであり、
前記レイアウト調整手順においては、前記注目セクションにおいてページ切替えの発生が検出された場合、前記印刷装置によって用紙に印刷されるページに対応する物理ページの形態に応じて、前記文章のページレイアウトの調整が省略される、請求項１７〜２８のいずれか１項に記載の情報処理プログラム。
【請求項３０】
前記情報処理装置は、前記文章を印刷する印刷部をさらに有し、
前記ページは、前記文章の印刷データを構成するページに対応する論理ページであり、
前記レイアウト調整手順においては、前記注目セクションにおいてページ切替えの発生が検出された場合、前記印刷部によって用紙に印刷されるページに対応する物理ページの形態に応じて、前記文章のページレイアウトの調整が省略される、請求項１７〜２８のいずれか１項に記載の情報処理プログラム。
【請求項３１】
前記物理ページの形態を規定する印刷設定は、Ｎ枚の論理ページを１枚の物理ページに配置するＮｉｎ１設定であり、
前記レイアウト調整手順においては、前記注目セクションの開始位置が属する論理ページと、前記注目セクションの終了位置が属する論理ページとが、同一の物理ページに配置される場合、前記文章のページレイアウトの調整が省略される、請求項２９又は請求項３０に記載の情報処理プログラム。
【請求項３２】
前記物理ページの形態を規定する印刷設定は、中綴じ製本によって小冊子を作成するための小冊子設定であり、
前記物理ページは、２枚の論理ページを配置するための２つの領域を有しており、
前記レイアウト調整手順においては、前記物理ページに関し、前記注目セクションの開始位置が属する論理ページが配置される領域と、前記注目セクションの終了位置が属する論理ページが配置される領域とが、前記小冊子の見開きページを構成する場合、前記文章のページレイアウトの調整が省略される、請求項２９又は請求項３０に記載の情報処理プログラム。
【発明の詳細な説明】
【技術分野】
【０００１】
本発明は、情報処理装置および情報処理プログラムに関する。
【背景技術】
【０００２】
多くの企業では、業務の進捗状況を報告するための週報等の文章が作成されている。作成された文章は、作成者より上位の管理者に提出される。上位の管理者は、提出された文章から、重要な問題情報等の注目箇所に係る記載を把握して、業務に利用することが要求される。
【０００３】
しかし、上位の管理者が受け取る文章の数は多く、かつ、文章の情報量は膨大であり、また、文章の書き方が共通化されていない場合もある。そのため、上位管理者は、文章に含まれる注目箇所に係る記載を把握することが容易ではなく、文章を読み込む必要があり、作業コストが非常に大きいという問題を有する。例えば、注目箇所に係る記載の途中で改ページ（ページ切替え）がなされる場合、改ページ後の後半の記載のみでは、全体の内容を把握するのに十分ではないため、前のページに戻って前半の記載を確認する必要がある。
【０００４】
一方、特許文献１および特許文献２には、文章のページレイアウトを調整する技術が開示されている。
【先行技術文献】
【特許文献】
【０００５】
【特許文献１】特開２０１３−１６１４５９号公報
【特許文献２】特開２０１２−１４１７０９号公報
【発明の概要】
【発明が解決しようとする課題】
【０００６】
特許文献１に開示されている技術は、文章の空白部分を詰めることに基づいてページレイアウトを調整している。そのため、空白部分が少なく、また、注目箇所に係る記載が異なるページに分かれる場合がある。
【０００７】
特許文献２に開示されている技術は、文章に含まれる記載を考慮することなく、文字サイズや行間等の数値で表現されるページレイアウト変数に基づいて、ページレイアウトを調整している。つまり、ページレイアウトの調整の際に、重要な問題情報等の注目箇所を考量していないため、内容把握の容易性は限定的である。
【０００８】
なお、ＭＩＣＲＯＳＯＦＴ（登録商標）Ｗｏｒｄは、改ページ位置の自動修正機能を有する。この機能は、段落が異なるページに分割されることを防ぐためのものであり、Ｗｏｒｄの書式機能として設定される。
【０００９】
書式機能の設定は、全ての段落に一様に適用され、あるは、適用される段落をユーザーが個別に選択する必要がある。全ての段落に一様に適用される場合、重要ではない段落の前で改ページが行われる虞があり、全体のページ数が増えて、文章の読み易さが低下するという問題を有する。一方、適用される段落をユーザーが個別に選択する場合、段落を選択する手間が生じるため、非効率であるという問題を有する。また、注目箇所について考慮されておらず、注目箇所を含んだ段落の途中で改ページがされる虞がある。
【００１０】
本発明は、上記従来技術に伴う課題を解決するためになされたものであり、文章の読み易さを効率的に向上し得る情報処理装置および情報処理プログラムを提供することを目的とする。
【課題を解決するための手段】
【００１１】
本発明の上記目的は、下記の手段によって達成される。
【００１２】
（１）階層構造を有する文章から注目箇所を抽出する注目箇所抽出部と、
前記文章から前記注目箇所を含んでいるセクションを注目セクションとして抽出する注目セクション抽出部と、
前記注目セクション内におけるページ切替えを検出するページ切替え検出部と、
前記文章のページレイアウトを調整するレイアウト調整部と、を有し、
前記レイアウト調整部は、
前記注目セクション内におけるページ切替えが検出された場合、前記注目セクション内で前記ページ切替えが発生しないように、前記文章のページレイアウトを調整する、情報処理装置。
【００１３】
（２）前記レイアウト調整部は、
前記注目セクション抽出部で抽出された前記注目セクション内において前記ページ切替えが発生しないように、前記文章のページ切替え位置を移動させる、前記（１）に記載の情報処理装置。
【００１４】
（３）前記レイアウト調整部は、前記注目セクションの開始位置が次ページに属するように、前記文章のページ切替え位置を前記注目セクションの開始位置に移動させる、前記（２）に記載の情報処理装置。
【００１５】
（４）前記注目箇所は、注目語句、文字フォント、図形、写真、あるいは、これらの組合わせに基づいて決定される、前記（１）〜（３）のいずれか１つに記載の情報処理装置。
【００１６】
（５）前記注目箇所に係る前記文字フォントは、文字の色、下線、太字、斜体、あるいは、これらの組合わせである、前記（４）に記載の情報処理装置。
【００１７】
（６）前記注目セクションは、前記注目箇所を含んでいる文を少なくとも含んでいる、前記（１）〜（５）のいずれか１つに記載の情報処理装置。
【００１８】
（７）前記注目セクションは、前記文の上位の階層に位置する文、前記文と同じ階層の別の文、あるいは、これらの組合わせを、さらに含んでいる、前記（６）に記載の情報処理装置。
【００１９】
（８）前記レイアウト調整部は、前記注目セクションの開始位置が属するページに、前記注目セクションの終了位置が属するように、前記文章のページレイアウトを調整する、前記（１）、（４）〜（７）のいずれか１つに記載の情報処理装置。
【００２０】
（９）前記文章のページレイアウトの調整は、前記注目セクションの文字フォントおよび／又は文字体裁を変更することに基づいている、前記（８）に記載の情報処理装置。
【００２１】
（１０）前記文章のページレイアウトの調整に係る前記文字フォントの変更は、文字サイズ、文字フォントの種類、あるいは、文字サイズおよび文字フォントの両方を変更することである、前記（９）に記載の情報処理装置。
【００２２】
（１１）前記文字体裁の変更は、行間隔、文字間隔、あるいは、行間隔および文字間隔の両方を変更することである、前記（９）又は前記（１０）に記載の情報処理装置。
【００２３】
（１２）前記レイアウト調整部は、前記注目セクションの開始位置においてページ切替えを発生させることに基づいて、前記注目セクションの開始位置が次ページに属するように、前記文章のページレイアウトを調整する、前記（１）に記載の情報処理装置。
【００２４】
（１２）前記文章を印刷する印刷装置と通信するための通信部をさらに有し、
前記ページは、前記文章の印刷データを構成するページに対応する論理ページであり、
前記レイアウト調整部は、前記注目セクションにおいてページ切替えの発生が検出された場合、前記印刷装置によって用紙に印刷されるページに対応する物理ページの形態に応じて、前記文章のページレイアウトの調整を省略する、前記（１）〜（１２）のいずれか１つに記載の情報処理装置。
【００２５】
（１４）前記文章を印刷する印刷部をさらに有し、
前記ページは、前記文章の印刷データを構成するページに対応する論理ページであり、
前記レイアウト調整部は、前記注目セクションにおいてページ切替えの発生が検出された場合、前記印刷部によって用紙に印刷されるページに対応する物理ページの形態に応じて、前記文章のページレイアウトの調整を省略する、前記（１）〜（１２）のいずれか１つに記載の情報処理装置。
【００２６】
（１５）前記物理ページの形態を規定する印刷設定は、Ｎ枚の論理ページを１枚の物理ページに配置するＮｉｎ１設定であり、
前記レイアウト調整部は、前記注目セクションの開始位置が属する論理ページと、前記注目セクションの終了位置が属する論理ページとが、同一の物理ページに配置される場合、前記文章のページレイアウトの調整を省略する、前記（１２）又は前記（１４）に記載の情報処理装置。
【００２７】
（１６）前記物理ページの形態を規定する印刷設定は、中綴じ製本によって小冊子を作成するための小冊子設定であり、
前記物理ページは、２枚の論理ページを配置するための２つの領域を有しており、
前記レイアウト調整部は、前記物理ページに関し、前記注目セクションの開始位置が属する論理ページが配置される領域と、前記注目セクションの終了位置が属する論理ページが配置される領域とが、前記小冊子の見開きページを構成する場合、前記文章のページレイアウトの調整を省略する、前記（１２）又は前記（１４）に記載の情報処理装置。
【００２８】
（１７）階層構造を有する文章から注目箇所を抽出する注目箇所抽出手順と、
前記文章から前記注目箇所を含んでいるセクションを注目セクションとして抽出する注目セクション抽出手順と、
前記注目セクション内におけるページ切替えを検出するページ切替え検出手順と、
前記文章のページレイアウトを調整するレイアウト調整手順と、
を有する処理を、情報処理装置に実行させる情報処理プログラムであって、
前記レイアウト調整手順においては、前記ページ切替え検出手順によって前記注目セクション内におけるページ切替えが検出された場合、前記注目セクション内で前記ページ切替えが発生しないように、前記文章のページレイアウが調整される、情報処理プログラム。
【００２９】
（１８）前記レイアウト調整手順においては、前記注目セクション抽出手順で抽出された前記注目セクション内において前記ページ切替えが発生しないように、前記文章のページ切替え位置が移動させられる、前記（１７）に記載の情報処理プログラム。
【００３０】
（１９）前記レイアウト調整手順においては、前記注目セクションの開始位置が次ページに属するように、前記文章のページ切替え位置が前記注目セクションの開始位置に移動させられる、前記（１８）に記載の情報処理プログラム。
【００３１】
（２０）前記注目箇所は、注目語句、文字フォント、図形、写真、あるいは、これらの組合わせに基づいて決定される、前記（１７）〜（１９）のいずれか１つに記載の情報処理プログラム。
【００３２】
（２１）前記注目箇所に係る前記文字フォントは、文字の色、下線、太字、斜体、あるいは、これらの組合わせである、前記（２０）に記載の情報処理プログラム。
【００３３】
（２２）前記注目セクションは、前記注目箇所を含んでいる文を少なくとも含んでいる、前記（１７）〜（２１）のいずれか１つに記載の情報処理装置。
【００３４】
（２３）前記注目セクションは、前記文の上位の階層に位置する文、前記文と同じ階層の別の文、あるいは、これらの組合わせを、さらに含んでいる、前記（２２）に記載の情報処理プログラム。
【００３５】
（２４）前記レイアウト調整手順においては、前記注目セクションの開始位置が属するページに、前記注目セクションの終了位置が属するように、前記文章のページレイアウトが調整される、前記（１７）、（２０）〜（２３）のいずれか１つに記載の情報処理プログラム。
【００３６】
（２５）前記文章のページレイアウトの調整は、前記注目セクションの文字フォントおよび／又は文字体裁を変更することに基づいている、前記（２４）に記載の情報処理プログラム。
【００３７】
（２６）前記文章のページレイアウトの調整に係る前記文字フォントの変更は、文字サイズ、文字フォントの種類、あるいは、文字サイズおよび文字フォントの両方を変更することである、前記（２５）に記載の情報処理プログラム。
【００３８】
（２７）前記文字体裁の変更は、行間隔、文字間隔、あるいは、行間隔および文字間隔の両方を変更することである、前記（２５）又は前記（２６）に記載の情報処理プログラム。
【００３９】
（２８）前記レイアウト調整手順においては、前記注目セクションの開始位置においてページ切替えを発生させることに基づいて、前記注目セクションの開始位置が次ページに属するように、前記文章のページレイアウトが調整される、前記（１７）に記載の情報処理プログラム。
【００４０】
（２９）前記情報処理装置は、前記文章を印刷する印刷装置と通信するための通信部をさらに有し、
前記ページは、前記文章の印刷データを構成するページに対応する論理ページであり、
前記レイアウト調整手順においては、前記注目セクションにおいてページ切替えの発生が検出された場合、前記印刷装置によって用紙に印刷されるページに対応する物理ページの形態に応じて、前記文章のページレイアウトの調整が省略される、前記（１７）〜（２８）のいずれか１つに記載の情報処理プログラム。
【００４１】
（３０）前記情報処理装置は、前記文章を印刷する印刷部をさらに有し、
前記ページは、前記文章の印刷データを構成するページに対応する論理ページであり、
前記レイアウト調整手順においては、前記注目セクションにおいてページ切替えの発生が検出された場合、前記印刷部によって用紙に印刷されるページに対応する物理ページの形態に応じて、前記文章のページレイアウトの調整が省略される、前記（１７）〜（２８）のいずれか１つに記載の情報処理プログラム。
【００４２】
（３１）前記物理ページの形態を規定する印刷設定は、Ｎ枚の論理ページを１枚の物理ページに配置するＮｉｎ１設定であり、
前記レイアウト調整手順においては、前記注目セクションの開始位置が属する論理ページと、前記注目セクションの終了位置が属する論理ページとが、同一の物理ページに配置される場合、前記文章のページレイアウトの調整が省略される、前記（２９）又は前記（３０）に記載の情報処理プログラム。
【００４３】
（３２）前記物理ページの形態を規定する印刷設定は、中綴じ製本によって小冊子を作成するための小冊子設定であり、
前記物理ページは、２枚の論理ページを配置するための２つの領域を有しており、
前記レイアウト調整手順においては、前記物理ページに関し、前記注目セクションの開始位置が属する論理ページが配置される領域と、前記注目セクションの終了位置が属する論理ページが配置される領域とが、前記小冊子の見開きページを構成する場合、前記文章のページレイアウトの調整が省略される、前記（２９）又は前記（３０）に記載の情報処理プログラム。
【発明の効果】
【００４４】
本発明に係る情報処理装置および情報処理プログラムによれば、注目セクション内においてページ切替えが発生しなくなるため、文章の読み易さが向上する。また、ページ切替えが発生しないように行われるページレイアウトの調整は、ユーザーが個別に指示することが不要であり、ユーザーの手間が生じないため、効率的である。つまり、文章の読み易さを効率的に向上し得る情報処理装置および情報処理プログラムを提供することが可能である。
【図面の簡単な説明】
【００４５】
【図１】本発明の実施の形態に係る情報処理装置の適用例を説明するための概略図である。
【図２】図１に示されるコンピューターを説明するための概略図である。
【図３】図１に示される画像形成装置を説明するための概略図である。
【図４】図２に示される情報処理プログラムを説明するためのブロック図である。
【図５】情報処理プログラムに適用される文章の一例を説明するための概略図である。
【図６】図５に示される文章に対する処理を説明するための概略図である。
【図７】情報処理プログラムの動作を説明するためのフローチャートである。
【図８】図７に示されるステップＳ１０２を説明するための概略図である。
【図９】図７に示されるステップＳ１０３を説明するための概略図である。
【図１０】図７に示されるステップＳ１０７を説明するための概略図である。
【図１１】本発明の実施の形態に係る変形例１を説明するための概略図である。
【図１２】本発明の実施の形態に係る変形例２を説明するための概略図である。
【図１３】図１２に示される小冊子の見開きページを説明するための概略図である。
【図１４】本発明の実施の形態に係る変形例３を説明するための概略図である。
【図１５】本発明の実施の形態に係る変形例４を説明するための概略図である。
【図１６】本発明の実施の形態に係る変形例５を説明するための概略図である。
【図１７】本発明の実施の形態に係る変形例６を説明するための概略図である。
【発明を実施するための形態】
【００４６】
以下、本発明の実施の形態を図面を参照しつつ説明する。なお、図面の寸法比率は、説明の都合上誇張されており、実際の比率とは異なる場合がある。
【００４７】
図１は、本発明の実施の形態に係る情報処理装置の適用例を説明するための概略図、図２は、図１に示されるコンピューターを説明するための概略図、図３は、図１に示される画像形成装置を説明するための概略図である。
【００４８】
図１に示される本実施の形態に係る情報処理装置は、コンピューター１００によって構成され、ネットワーク３００を経由して画像形成装置２００に通信可能に構成されている。
【００４９】
コンピューター１００は、例えば、印刷ジョブを作成し、画像形成装置２００に送信するために使用される。印刷ジョブは、例えば、ＰＤＬ（Ｐａｇｅ  Ｄｅｓｃｒｉｐｔｉｏｎ  Ｌａｎｇｕａｇｅ）形式の印刷データおよび印刷設定データを含んでいる。コンピューター１００は、図２に示されるように、制御部１１０、記憶部１２０、入力装置１５０、表示部１６０および通信部１７０を有し、これらは、バス１９０を経由して相互に接続されている。
【００５０】
制御部１１０は、プログラムにしたがって上記各部の制御や各種の演算処理を実行するＣＰＵ（Ｃｅｎｔｒａｌ  Ｐｒｏｃｅｓｓｉｎｇ  Ｕｎｉｔ）等から構成される制御回路であり、コンピューター１００の各機能は、それに対応するプログラムを制御部１１０が実行することにより発揮される。
【００５１】
記憶部１２０は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、不揮発性メモリー、ＳＳＤ（Ｓｏｌｉｄ  Ｓｔａｔｅ  Ｄｒｉｖｅ）、ＨＤＤ（Ｈａｒｄ  Ｄｉｓｋ  Ｄｒｉｖｅ）等が適宜組み合わされて構成されている。
【００５２】
記憶部１２０に記憶されるプログラムは、例えば、ＯＳ（オペレーティングシステム）、文章作成プログラム、プリンタードライバーである。プリンタードライバーは、ユーザーがアプリケーションから印刷指示を行う際に起動されるプログラムであり、対象となる文章データを、画像形成装置２００によって対応可能な記述言語形式の印刷データに変換し、印刷ジョブとしてネットワーク３００を経由して画像形成装置２００へ送信する。記述言語形式は、例えば、ＰＤＬ（ページ記述言語：Ｐａｇｅ  ＤｅｓｃｒｉｐｔｉｏｎＬａｎｇｕａｇｅ）である。記憶部１２０に記憶されるデータは、例えば、文章作成プログラムによって作成された文章、情報処理プログラム１３０、キーワード辞書１４０である。キーワード辞書１４０は、情報処理プログラム１３０によって参照される文字列を保持している辞書である。
【００５３】
入力装置１５０は、キーボード、ポインティングデバイス等を有しており、例えば、文章データの作成や、情報処理プログラム１３０の操作に利用される。ポインティングデバイスは、例えば、マウスである。
【００５４】
表示部１６０は、液晶ディスプレイ（Ｌｉｑｕｉｄ  Ｃｒｙｓｔａｌ  Ｄｉｓｐｌａｙ、ＬＣＤ）や有機ＥＬディスプレイ（Ｏｒｇａｎｉｃ  ＥｌｅｃｔｒｏＬｕｍｉｎｅｓｃｅｎｃｅ  Ｄｉｓｐｌａｙ、ＯＥＬＤ）からなり、例えば、文章作成プログラムの操作画面や、情報処理プログラム１３０の操作画面を表示する。
【００５５】
通信部１７０は、ネットワーク３００を経由した通信機能を追加する拡張装置からなる通信インターフェースを有しており、画像形成装置２００と通信して、データを送受信するために使用される。
【００５６】
画像形成装置２００は、例えば、コピー機能、プリンタ機能およびスキャン機能を有するＭＦＰ（Ｍｕｌｔｉ−Ｆｕｎｃｔｉｏｎ  Ｐｅｒｉｐｈｅｒａｌ）から構成される印刷装置であり、ネットワーク３００を経由してコンピューター１００に接続されている。画像形成装置２００は、コンピューター１００からの印刷ジョブに基づいて、記録媒体である用紙に画像を形成（印刷）するために使用され、図３に示されるように、制御部２１０、記憶部２２０、給紙部２３０、画像読取部２４０、画像形成部２５０、用紙排出部２６０、操作パネル２７０、通信部２８０を有し、これらは、バス２９０を経由して相互に接続されている。
【００５７】
制御部２１０は、プログラムにしたがって上記各部の制御や各種の演算処理を実行するＣＰＵ（Ｃｅｎｔｒａｌ  Ｐｒｏｃｅｓｓｉｎｇ  Ｕｎｉｔ）やＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等から構成される制御回路であり、画像形成装置２００の各機能は、それに対応するプログラムを制御部２１０が実行することにより発揮される。
【００５８】
記憶部２２０は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、不揮発性メモリー、ＳＳＤ（Ｓｏｌｉｄ  Ｓｔａｔｅ  Ｄｒｉｖｅ）、ＨＤＤ（Ｈａｒｄ  Ｄｉｓｋ  Ｄｒｉｖｅ）等が適宜組み合わされて構成されている。
【００５９】
記憶部２２０に記憶されるプログラムは、例えば、ＲＩＰ（ラスタライズ：Ｒａｓｔｅｒ  Ｉｍａｇｅ  Ｐｒｏｃｅｓｓｉｎｇ）プログラムである。記憶部２２０に記憶されるデータは、コンピューター１００からの印刷ジョブデータ、画像読取部２４０からの読取画像データ（スキャンデータ）、ＲＩＰによって変換されたビットマップデータ等である。
【００６０】
給紙部２３０は、複数の給紙トレイを有しており、制御部２１０から指示された用紙を給紙トレイから取り出し、画像形成部２５０に向って搬送するために使用される。
【００６１】
画像読取部２４０は、例えば、自動原稿送り装置（ＡＤＦ：Ａｕｔｏ  Ｄｏｃｕｍｅｎｔ  Ｆｅｅｄｅｒ）と、ＣＣＤ（Ｃｈａｒｇｅ  Ｃｏｕｐｌｅｄ  Ｄｅｖｉｃｅ）イメージセンサを備えているスキャナーと、から構成され、原稿台に載置される原稿の画像データ（スキャンデータ）を生成するために使用される。
【００６２】
画像形成部２５０は、帯電、露光、現像、転写および定着工程を含む電子写真式プロセスなどの作像プロセスを用いて、記録媒体である用紙上に画像を形成するプリントエンジンを有しており、画像データを印刷するために使用される印刷部である。印刷（画像形成）は、電子写真式プロセスを利用する形態に限定されず、インパクト方式、熱転写方式、インクジェット方式を適宜適用することが可能である。
【００６３】
用紙排出部２６０は、排紙トレイを有しており、印刷（画像が形成）された用紙を、排紙トレイ（装置外）に排出するために使用される。
【００６４】
操作パネル２７０は、入力部および表示部を有する。入力部は、物理キーボードを有する。物理キーボードは、文字入力、各種設定、スタート指示等の各種指示（入力）を、ユーザーが実行するために利用される。表示部は、例えば、ＬＣＤ（Ｌｉｑｕｉｄ  Ｃｒｙｓｔａｌ  Ｄｉｓｐｌａｙ）やタッチパネルから構成され、印刷ジョブの進行状況、用紙ジャムの発生状況、現在変更可能な設定等を、ユーザーに知らせるために使用される。
【００６５】
通信部２８０は、ネットワーク３００を経由した通信機能を追加する拡張装置からなる通信インターフェースを有しており、ネットワーク３００を経由してコンピューター１００と通信して、データを送受信するために使用される。
【００６６】
ネットワーク３００は、イーサネット（登録商標）、トークンリング、ＦＤＤＩ（Ｆｉｂｅｒ−Ｄｉｓｔｒｉｂｕｔｅｄ  Ｄａｔａ  Ｉｎｔｅｒｆａｃｅ）などの規格によりコンピューターやネットワーク機器同士を接続する構内情報通信網（ＬＡＮ：Ｌｏｃａｌ  Ａｒｅａ  Ｎｅｔｗｏｒｋ）、ＬＡＮ同士を専用線で接続した広域情報通信網（ＷＡＮ：Ｗｉｄｅ  Ａｒｅａ  Ｎｅｔｗｏｒｋ）、インターネット、これらの組合わせなどの各種のネットワークからなる。ネットワークプロトコルは、例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）である。
【００６７】
次に、情報処理プログラムを説明する。
【００６８】
図４は、図２に示される情報処理プログラムを説明するためのブロック図、図５は、情報処理プログラムに適用される文章の一例を説明するための概略図、図６は、図５に示される文章に対する処理を説明するための概略図である。
【００６９】
情報処理プログラム１３０は、文章の読み易さを効率的に向上させるプログラムであって、図４に示されるように、注目箇所抽出部１３２、注目セクション抽出部１３４、ページ切替え検出部１３６およびレイアウト調整部１３８を有する。
【００７０】
文章は、ページによって構成されかつ階層構造（ツリー構造）を有し、例えば、業務の進捗状況を報告するための週報であり、図５に示されるように、大見出しであるタイトル、中見出しである章、小見出しである項および本文を有し、上位の管理者に提出される。なお、本文は、最下層に位置するテキストである。また、階層構造の定義は、上記用語を使用する形態に限定されず、編（部）、段落、節、目、Ｂｏｄｙといった名称を利用することも可能である。
【００７１】
注目箇所抽出部１３２は、階層構造を有する文章から注目箇所を抽出する。注目セクション抽出部１３４は、文章から注目箇所を含んでいるセクションを注目セクションとして抽出する。ページ切替え検出部１３６は、注目セクション内におけるページ切替えを検出する。レイアウト調整部１３８は、注目セクション内におけるページ切替えが検出された場合、注目セクション内でページ切替えが発生しないように、文章のページレイアウトを調整する。
【００７２】
注目箇所は、本実施の形態において、「ＫＥＹ  ＷＯＲＤ」によって示される注目語句（文字列）から構成される。注目セクションは、注目語句（注目箇所）を含んでいる本文、本文の上位の階層に位置する項（小見出し）、項の上位の階層に位置する章（中見出し）を含んでいる。
【００７３】
例えば、図５に示される週報が画像形成装置に開発に関連する場合、「タイトル」には「第１製品開発部」等の文章作成部門や文章作成日時、「章」には「１．技術開発」、「２．製品開発」および「３．市場問題」等の報告テーマ、「項」にはテーマ細目、「本文」には具体的な報告内容が記載される。
【００７４】
「本文」の報告内容の一例は、項「１−１．テーマＡ」に関しては、「定着不良の対策に一部不備があり、再対策を実施中。」、項「１−２．テーマＢ」に関しては、「計画通り進行中。」、項「２−１．テーマＡ」に関しては、「開発完了済み。」、項「２−２．テーマＢ」に関しては、「不具合改修の見込み無く、日程延長の見通し。」、項「３−１．テーマＡ」に関しては、「量産が本格的に開始したが、初期ロットにおいて用紙のしわ問題が多発。」、項「３−２．テーマＢ」に関しては、「顧客Ａにおいて対策品の効果確認中。」、項「３−３．テーマＣ」に関しては、「指摘事項の効果確認で問題なく、本件クローズ。」である。
【００７５】
注目語句「ＫＥＹ  ＷＯＲＤ」の一例は、画像形成装置の開発における重要な問題情報（リスク）に関連する「しわ」である。この場合、「本文」に「しわ」を含んでいる注目セクションは、章「３．市場問題」、項「３−１．テーマＡ」、当該項に係る本文を含んでおり、ページ１からページ２に渡って存在しており、注目語句「ＫＥＹ  ＷＯＲＤ」に係る記載の途中で改ページ（ページ切替え）がなされている。したがって、改ページ後の後半の記載のみでは、全体の内容を把握するのに十分ではないため、前ページに戻って前半の記載を確認する必要がある。つまり、文章に含まれる注目箇所に係る記載を把握することが容易ではなく、文章を読み込む必要があり、作業コストが非常に大きい。
【００７６】
そのため、情報処理プログラム１３０は、図６に示されるように、注目語句「ＫＥＹ  ＷＯＲＤ」を含んでいる注目セクション内において改ページが発生しないように、文章のページレイアウトを調整する。これにより、文章の読み易さが向上する。また、改ページが発生しないように行われる文章のページレイアウトの調整は、ユーザーが個別に指示することが不要であり、ユーザーの手間が生じないため、効率的である。
【００７７】
次に、情報処理プログラムの動作を詳述する。
【００７８】
図７は、情報処理プログラムの動作を説明するためのフローチャート、図８、図９および図１０は、図７に示されるステップＳ１０２、Ｓ１０３およびステップＳ１０７を説明するための概略図である。なお、図７に示されるフローチャートにより示されるアルゴリズムは、情報処理プログラム１３０として記憶されており、制御部１１０によって実行される。
【００７９】
まず、情報処理プログラム１３０に適用される文章が取得される（ステップＳ１０１）。文章は、記憶部１２０に記憶されている文章作成プログラムを利用して作成される。なお、外部の別のコンピューター等によって作成された文章を適用することも可能である。
【００８０】
取得された文章は、複数の文に分解される（ステップＳ１０２）。文章の分解は、文末の表現である改行や句読点を利用して実行される。例えば、図８に示されるように、文ＳＴ０１〜ＳＴ１８に分解される。
【００８１】
その後、文章を分解して得られた複数の文を解析することで、文章（文）の階層構造が取得される（ステップＳ１０３）。例えば、図８に示される構成の場合、図９に示される階層構造が取得され、これにより、文ＳＴ０４，ＳＴ０６，ＳＴ０９，ＳＴ１１，ＳＴ１４，ＳＴ１６，ＳＴ１８が、本文であることが把握される。文の解析は、インデントおよび連番の付け方に基づき、実行される。
【００８２】
文章を複数の文に分解する方法および文（階層構造）の解析は、上記形態に限定されない。例えば、文章が、ＸＭＬ（Ｅｘｔｅｎｓｉｂｌｅ  Ｍａｒｋｕｐ  Ｌａｎｇｕａｇｅ）等のマークアップ言語で作成されている場合、タグを利用することが可能である。また、事例文章を利用した機械学習によって生成される判定ルールを利用することも可能である。
【００８３】
次に、記憶部１２０が記憶されているキーワード辞書１４０に定義されている注目語句「ＫＥＹ  ＷＯＲＤ」が、本文に含まれているか否かが判断される（ステップＳ１０４）。
【００８４】
本文に注目語句「ＫＥＹ  ＷＯＲＤ」が含まれていないと判断される場合（ステップＳ１０４：ＮＯ）、プロセスは、ステップＳ１０８に進む。本文に注目語句「ＫＥＹ  ＷＯＲＤ」が含まれていると判断される場合（ステップＳ１０４：ＹＥＳ）、注目セクションが抽出される（ステップＳ１０５）。例えば、文ＳＴ１４は、注目語句「ＫＥＹ  ＷＯＲＤ」が含まれているため、注目セクションは、本文である文ＳＴ１４、文ＳＴ１４の上位の階層に位置する項である文ＳＴ１３、および、文ＳＴ１３の上位の階層に位置する章である文ＳＴ１３を含んでいる（図９参照）。
【００８５】
その後、本文内において改ページが発生しているか否かが判断される（ステップＳ１０６）。
【００８６】
改ページが発生していないと判断される場合（ステップＳ１０６：ＮＯ）、プロセスは、ステップＳ１０８に進む。改ページが発生していると判断される場合（ステップＳ１０６：ＹＥＳ）、ページレイアウトが調整され（ステップＳ１０７）、そして、プロセスは、ステップＳ１０８に進む。例えば、文ＳＴ１４は、注目語句「ＫＥＹ  ＷＯＲＤ」が含まれており、ページ１に含まれる文ＳＴ１４Ａおよびページ２に含まれる文ＳＴ１４Ｂからなり、文ＳＴ１４Ａと文ＳＴ１４Ｂとの間に改ページが存在するため、注目セクションに対して、ページレイアウトが調整される。
【００８７】
ページレイアウトの調整は、本実施の形態においては、図１０に示されるように、注目セクションの開始位置が属するページ１に、注目セクションの終了位置が属するように、実行される。具体的には、ページレイアウトの調整は、注目セクションの文字フォントおよび／又は文字体裁を変更することに基づいている。
【００８８】
文字フォントの変更は、文字サイズ、文字フォントの種類、あるいは、文字サイズおよび文字フォントの両方を変更することである。文字体裁の変更は、行間隔、文字間隔、あるいは、行間隔および文字間隔の両方を変更することである。本実施の形態においては、文字サイズを縮小することによって、注目セクションが同一のページに収まるように、調整している。
【００８９】
ステップＳ１０８においては、次の本文が存在するか否かが判断される。次の本文が存在すると判断される場合（ステップＳ１０８：ＹＥＳ）、プロセスは、ステップＳ１０４に進む。次の本文が存在しない（全ての本文ＳＴ０４，ＳＴ０６，ＳＴ０９，ＳＴ１１，ＳＴ１４，ＳＴ１６，ＳＴ１８に対する処理が完了した）と判断される場合（ステップＳ１０８：ＮＯ）、プロセスは、終了する。
【００９０】
ページレイアウトが調整された文章は、画像形成装置２００に送信され、画像形成装置２００の画像形成部２５０によって用紙に印刷される。
【００９１】
なお、ステップＳ１０２〜Ｓ１０４、ステップＳ１０５、ステップＳ１０６およびステップＳ１０７は、注目箇所抽出部１３２、注目セクション抽出部１３４、ページ切替え検出部１３６およびレイアウト調整部１３８に対応している。
【００９２】
注目語句「ＫＥＹ  ＷＯＲＤ」が含まれているか否かを判断する文は、本文に限定されず、例えば、タイトル、章、項を構成する文も対象とすることも可能である。注目語句「ＫＥＹ  ＷＯＲＤ」が記憶されているキーワード辞書１４０は、コンピューター１００の記憶部１２０に配置する形態に限定されず、例えば、ネットワーク３００に接続されたサーバー（不図示）の記憶部に配置することも可能である。情報処理プログラム１３０は、プリンタードライバーに一体化させることも可能である。
【００９３】
次に、変形例１〜６を順次説明する。
【００９４】
図１１は、本発明の実施の形態に係る変形例１を説明するための概略図である。
【００９５】
例えば、画像形成装置２００によって用紙に印刷されるページに対応する物理ページは、物理ページの形態を規定する印刷設定によって、文章の印刷データを構成するページに対応する論理ページと構成が異なる場合がある。
【００９６】
そのため、変形例１においては、論理ページに関し、注目セクション内において改ページの発生が検出された場合であっても、画像形成装置２００によって用紙に印刷されるページに対応する物理ページの形態に応じて、文章のページレイアウトの調整を省略するように構成されてる。
【００９７】
詳しくは、画像形成装置２００の印刷設定が、Ｎ枚の論理ページを１枚の物理ページに配置するＮｉｎ１設定である場合、レイアウト調整部は、注目セクションの開始位置が属する論理ページと、注目セクションの終了位置が属する論理ページとが、同一の物理ページに配置される場合、文章のページレイアウトの調整が省略される。
【００９８】
例えば、図１１に示される例においては、論理ページに関し、注目語句を含んでいる注目セクションは、ページ１およびページ２に分割され、注目セクション内において改ページ（ページ切替え）が生じている。しかし、印刷設定が２ｉｎ１設定であるため、１枚の物理ページに、論理ページのページ１およびページ２が含まれることになる。つまり、物理ページに関し、注目箇所を含んでいる注目セクション内において改ページが発生しなくなるため、文章のページレイアウトの調整は不要である。
【００９９】
図１２、本発明の実施の形態に係る変形例２を説明するための概略図、図１３は、図１２に示される小冊子の見開きページを説明するための概略図である。
【０１００】
文章のページレイアウトの調整が省略される印刷設定は、Ｎｉｎ１設定に限定されず、例えば、小冊子設定を適用することも可能である。小冊子設定は、図１２の変形例２に示されるように、印刷された用紙を複数枚重ねて中綴じ製本することによって小冊子を作成するための設定であり、物理ページは、２枚の論理ページを配置するための２つの領域を有している。
【０１０１】
したがって、物理ページに関し、注目セクションの開始位置が属する論理ページが配置される領域と、注目セクションの終了位置が属する論理ページが配置される領域とが、図１３に示されるように、小冊子の見開きページを構成する場合、印刷設定が２ｉｎ１設定である場合と同様に、文章のページレイアウトを調整することなく、注目セクション内において改ページが発生しなくなるため、文章のページレイアウトの調整は不要である。
【０１０２】
図１４は、本発明の実施の形態に係る変形例３を説明するための概略図である。
【０１０３】
文章のページレイアウトの調整は、注目セクションの開始位置が属するページ（ページ２）に、注目セクションの終了位置が属するように実行する形態に限定されない。例えば、図１４の変形例３に示されるように、注目セクションの開始位置において改行（ページ切替えを発生）させることに基づいて、注目セクションの開始位置が次ページ（ページ２）に属するように、文章のページレイアウトを調整することも可能である。
【０１０４】
図１５は、本発明の実施の形態に係る変形例４を説明するための概略図である。
【０１０５】
注目セクションの範囲は、注目箇所を含んでいる本文、本文の上位の階層に位置する項、当該項の上位の階層に位置する章を含んでいる形態に限定されない。例えば、図１５の変形例４に示されるように、注目箇所を含んでいる本文ＳＴ１４、本文の上位の階層に位置する項ＳＴ１３によって、注目セクションの範囲を定義することも可能である。
【０１０６】
また、注目セクションの範囲に、注目箇所を含んでいる文と同じ階層の別の文を含ませることも可能である。同じ階層の別の文は、例えば、注目箇所を含んでいる文の内容を補足あるいは関連する内容が有する文である。つまり、注目セクションは、注目箇所を含んでいる文を少なくとも含んでおり、前記文の上位の階層に位置する文、前記文と同じ階層の別の文、あるいは、これらの組合わせを、さらに含むように設定することも可能である。
【０１０７】
図１６は、本発明の実施の形態に係る変形例５を説明するための概略図である。
【０１０８】
情報処理プログラム１３０およびキーワード辞書１４０は、コンピューター１００に配置する形態に限定されず、例えば、図１６の変形例４に示されるように、画像形成装置２００に配置し、画像形成装置２００において、文章のページレイアウトを調整することも可能である。
【０１０９】
図１７は、本発明の実施の形態に係る変形例６を説明するための概略図である。
【０１１０】
注目箇所は、注目語句によって定義する形態に限定されず、例えば、図１７の変形例４に示されるように、写真（注目語句写真）によって定義することも可能である。また、注目箇所は、注目語句および写真に加えて、文字フォント、図形、および、これらの組合わせに基づいて決定することも可能である。なお、文字フォントは、文字の色、下線、太字、斜体、あるいは、これらの組合わせである。
【０１１１】
以上のように、本実施の形態においては、注目セクション内において改ページ（ページ切替え）が発生しなくなるため、文章の読み易さが向上する。また、改ページが発生しないように行われる文章のページレイアウトの調整は、ユーザーが個別に指示することが不要であり、ユーザーの手間が生じないため、効率的である。したがって、文章の読み易さを効率的に向上し得る情報処理装置および情報処理プログラムを提供することが可能である。
【０１１２】
本発明は、上述した実施の形態に限定されるものではなく、特許請求の範囲で種々改変することができる。例えば、変形例１〜６は、適宜組合わせることも可能である。情報処理装置は、コンピューターや画像形成装置に限定されず、画像形成装置に印刷ジョブを送信することが可能なモバイル端末によって構成することも可能である。モバイル端末は、携帯電話やスマートフォン等である。
【０１１３】
本発明に係る情報処理プログラムは、専用のハードウェア回路によっても実現することも可能である。また、情報処理プログラムは、ＵＳＢ（Ｕｎｉｖｅｒｓａｌ  Ｓｅｒｉａｌ  Ｂｕｓ）メモリーやＤＶＤ（Ｄｉｇｉｔａｌ  Ｖｅｒｓａｔｉｌｅ  Ｄｉｓｃ）−ＲＯＭ（Ｒｅａｄ  Ｏｎｌｙ  Ｍｅｍｏｒｙ）などのコンピューター読み取り可能な記録媒体によって提供したり、記録媒体によらず、インターネットなどのネットワークを経由してオンラインで提供したりすることも可能である。この場合、情報処理プログラムは、通常、記憶部を構成する磁気ディスク装置などの記憶装置に記憶される。また、情報処理プログラムは、単独のアプリケーションソフトウェアとして提供したり、一機能として別のソフトウェアに組み込んで提供したりすることも可能である。
【符号の説明】
【０１１４】
１００  コンピューター、
１１０  制御部、
１２０  記憶部、
１３０  情報処理プログラム、
１３２  注目箇所抽出部、
１３４  注目セクション抽出部、
１３６  ページ切替え検出部、
１３８  レイアウト調整部、
１４０  キーワード辞書、
１５０  入力装置、
１６０  表示部、
１７０  通信部、
１８０  通信部、
１９０  バス、
２００  画像形成装置（印刷装置）、
２１０  制御部、
２２０  記憶部、
２３０  給紙部、
２４０  画像読取部、
２５０  画像形成部（印刷部）、
２６０  用紙排出部、
２７０  操作パネル、
２８０  通信部、
２９０  バス、
３００  ネットワーク、
ＳＴ０１〜ＳＴ１８  文。
【図１】
2020024516.tif 000003
【図２】
2020024516.tif 000004
【図３】
2020024516.tif 000005
【図４】
2020024516.tif 000006
【図５】
2020024516.tif 000007
【図６】
2020024516.tif 000008
【図７】
2020024516.tif 000009
【図８】
2020024516.tif 000010
【図９】
2020024516.tif 000011
【図１０】
2020024516.tif 000012
【図１１】
2020024516.tif 000013
【図１２】
2020024516.tif 000014
【図１３】
2020024516.tif 000015
【図１４】
2020024516.tif 000016
【図１５】
2020024516.tif 000017
【図１６】
2020024516.tif 000018
【図１７】
2020024516.tif 000019